(57)【要約】【課題】送風手段を持ち電池パックを冷却しながら充電する充電装置において充電完了を報知する音声を確実に聞き取れるようにする。【解決手段】ファンモータ９２から構成される送風装置を設け、電池パック５に向けて冷却風を吹き付け電池パック５を冷却しながら電池パック５を充電し、満充電を検出して充電停止した時ブザー９４等の音声により充電完了を報知する充電装置であって、前記充電停止時にファンモータ９２の駆動を停止するか送風量を減少させるようにして音声による報知を確実に知ることができるようにした。【選択図】  図２
2004185837.tif 000002
【特許請求の範囲】
【請求項１】
送風装置を設け、電池に向けて冷却風を吹き付け電池を冷却しながら電池を充電し、満充電を検出して充電停止した時音声により充電完了を報知する充電装置であって、
前記充電停止時に送風装置の駆動を停止するか送風量を減少させることを特徴とした充電装置。
【請求項２】
送風装置を設け、電池に向けて冷却風を吹き付け電池を冷却しながら電池を充電する充電装置であって、
充電完了時に送風装置の駆動を停止するか送風量を減少させることを特徴とした充電装置。
【請求項３】
前記送風装置の駆動停止または送風量減少から所定時間経過後に送風装置の駆動停止または送風量減少をキャンセルすることを特徴とした請求項１または２記載の充電装置。
【発明の詳細な説明】
【０００１】
【発明の属する技術分野】
本発明は例えばコードレス電動工具等の電源として用いられる二次電池を充電する充電装置に関するものである。
【０００２】
【従来の技術】
近年、ニッケル水素電池やニッケルカドミウム電池等の電池の高容量化及び大電流による充電特性の改善は目覚ましいものがある。しかし電池の高容量化は定格容量が小さい電池に比べ、必然的に充電時の発熱が大きくなってしまい、定格容量が大きい電池を比較的大きな充電電流により充電すると、満充電前に電池のサイクル寿命の低減を抑制する目的で設定された設定温度を越えてしまって比較的小さな充電電流に切り替えて充電するようにした充電装置が提案された。
【０００３】
このような充電装置の場合、定格容量が大きい電池では充電時間が長くなるという問題があるために、充電時の発熱を抑制する冷却ファン等の送風装置を設け、定格容量が大きい電池であっても比較的大きな充電電流により充電できるようにした充電装置が新たに提案された（特許文献１参照）。
【０００４】
【特許文献１】
特許３２８５３４５（図１）
【０００５】
【発明が解決しようとする課題】
上記したように送風装置を設け、定格容量が大きい電池であっても最適な充電ができるようにした充電装置は、送風装置としてファンモータを使用しているとファンモータの回転音や送風音が大きく、耳障りなため充電中及び充電完了後電池が充電装置から取り外されるまではファンモータを運転し冷却を行い、電池を充電器にセットしていない時はファンモータを停止していた。このため充電終了時にもファンモータを運転しているので、充電終了を知らせるブザーの音が聞こえづらいという問題があった。
【０００６】
本発明の目的は、上記した従来技術の欠点をなくし、送風装置を設けた充電装置であっても充電完了を知らせるブザー音を聞き易くした充電装置を提供することである。
【０００７】
【課題を解決するための手段】
上記目的は、充電終了しブザー等の音声により充電終了を報知する時に、送風装置の駆動停止または送風量を減少させることにより達成される。
【０００８】
【発明の実施の形態】
図１は本発明充電装置の一実施形態を示すブロック図である。図において、１は交流電源、２は充電装置、５は充電可能な複数の素電池５ａを直列に接続した電池パックであって、素電池５ａに接触あるいは近接したサーミスタ等の温度検出素子５ｂを内蔵している。
【０００９】
１１は１次側の第一整流平滑回路、１２は高周波トランス、１４はスイッチング素子、１５はスイッチング素子１４の駆動パルス幅を変えて第二整流平滑回路１３の出力電圧を調整すると共にマイコン６０の出力に応じて充電の開始及び停止を制御するスイッチング制御回路、４１は電池パック５に流れる充電電流を検出する充電電流検出回路、２１は充電電流を所定の充電電流値に制御する例えば演算増幅器等からなる充電電流制御回路、２２はマイコン６０の出力に応じて充電電流制御回路２１に所定の充電電流値に対応する基準電圧を設定印加する充電電流設定回路である。すなわち充電電流制御回路２１は、充電電流検出回路４１により検出された電圧が充電電流設定回路２２の設定電圧と等しくなるようにスイッチング制御回路１５及びスイッチング素子１４介して充電電流を一定となるように制御するものである。
【００１０】
５１は電池電圧検出回路、５２は電池パック５の温度検出素子５ｂの抵抗値を電圧に変換してマイコン６０に出力する電池温度検出回路、７０は充電状態を表示するＬＥＤ等からなる表示回路である。９２は例えば冷却ファン等の送風装置を駆動するファンモータであり、９１はマイコン６０の出力に応じてファンモータ９２を駆動または停止させるファンモータ駆動回路、９４は充電終了や充電異常を音で報知するブザー、９３はブザー９４を駆動するブザー駆動回路である。６０は電池電圧検出回路５１、電池温度検出回路５２、充電電流検出回路４１の出力から充電及び冷却を制御する充電制御手段となるマイコンである。８０は補助電源回路であり、マイコン６０を動作させるための所定の電圧を発生させる。
【００１１】
次に図１の回路ブロック図、図２のフローチャートを参照して本発明充電装置の動作を説明する。電源を投入するとマイコン６０は電池パック５の接続待機状態となる（ステップ２０１）。電池パック５が接続されると、ファンモータ駆動回路９１に信号を出力してファンモータ９２を駆動して電池パック５の冷却を開始する（ステップ２０２）。同時にスイッチング制御回路１５に充電開始信号を出力して充電を開始する（ステップ２０３）。
【００１２】
充電電流が一定になるよう制御を行いながら電池温度検出回路５２や電池電圧検出回路５１からの検出信号により電池パック５の状態を監視し、電池電圧または電池温度が所定の値変化すると電池パック５が満充電になったと判断し（ステップ２０４）、マイコン６０はスイッチング制御回路１５に充電終了信号を出力し充電を停止する（ステップ２０５）。同時にファンモータ駆動回路９１にファンモータ停止信号を出力し、ファンモータ９２を停止する（ステップ２０６）。その後ブザー駆動回路９３にブザーオン信号を出力し所定時間ブザー９４を駆動してブザー音にて充電完了を報知する（ステップ２０７）。
【００１３】
所定時間経過するとブザー音をオフすると共に（ステップ２０９）、再度ファンモータ駆動回路９１に信号を出力してファンモータ９２を再駆動し、電池パック５の冷却を再開する（ステップ２１０）。
【００１４】
電池温度検出回路５１や電池電圧検出回路５２からの検出信号により電池パック５の有無を監視し、電池パック５が充電器２から外されたと判断したら（ステップ２１１）、ファンモータ駆動回路９１にファンモータ停止信号を出力しファンモータ９２を停止する（ステップ２１２）。
【００１５】
上記実施形態においては、充電終了後ブザー音で充電終了を報知している間はファンモータ９２を停止するとしたが、ファンモータ９２に印加する電圧を低下させファンモータ９２の回転数を下げて送風量すなわち送風音を低下させても良い。
【００１６】
【発明の効果】
以上のように本発明によれば、充電停止を報知する音声が送風装置の送風音に消されること無く充電完了がわかりやすい充電装置を提供することが可能となる。
【図面の簡単な説明】
【図１】本発明充電装置の一実施形態を示すブロック回路図。
【図２】本発明充電装置の動作説明用フローチャート。
【符号の説明】
２は充電装置、５は電池パック、６０はマイコン、９２はファンモータ、９４はブザー。
【図１】
2004185837.tif 000003
【図２】
2004185837.tif 000004